(57)【要約】【課題】  雨垂れの発生を防止すると共に、敷設した際に見栄えが良い袖瓦を提供する。【解決手段】  袖瓦１は、前端部２１裏側の一部に薄肉部２３を形成し、この薄肉部２３の内面には、袖垂れ部２０の下縁より一段高い段状の導水路２４が前後方向に形成されており、下段の袖瓦１ａの尻部５ａに、上段の袖瓦１ｂの頭部３ｂを重ね合わせると、上段の袖瓦１ｂの導水路２４ｂが下段の袖瓦１ａの水受け部３２ａの上に載置されて、前後方向へのスライドが案内されることにより、雨垂れの発生を防止することが可能である。また、袖瓦１ａ，１ｂ・・を重ね合わせた際には、袖垂れ部２０ａ，２０ｂ・・の下端が直線状になり見栄えも良い。他にも、下段の袖瓦１ａに対し、上段の袖瓦１ｂをスライド調整することが可能である。【選択図】図１
2017141582.tif 000002
【特許請求の範囲】
【請求項１】
前端に頭部を、後端には尻部を形成して敷設後に雨水が表面を流下する瓦本体と、当該瓦本体の側面に設けられる袖垂れ部とで少なくとも構成し、
前記袖垂れ部には、前記尻部側の端縁である後端部側下端に水受け部を前後方向に設けた袖瓦であって、
前記前端部裏側の一部に薄肉部を形成し、当該薄肉部の内面には、前記袖垂れ部の下縁より一段高い段状の導水路が前後方向に形成されており、
下段の前記袖瓦の尻部に、上段の前記袖瓦の頭部を重ね合わせると、上段の前記袖瓦の導水路が下段の前記袖瓦の水受け部の上に載置されて、前後方向へのスライドが案内されることを特徴とする袖瓦。
【請求項２】
前記袖垂れ部の前記後端部側には縦溝が設けられることを特徴とする請求項１に記載の袖瓦。
【発明の詳細な説明】
【技術分野】
【０００１】
本発明は、家屋等の屋根に敷設する袖瓦に関するものである。
【背景技術】
【０００２】
従来より、屋根のけらばに施工する袖瓦としては、後端の尻部に上段の袖瓦の頭部を重ねると、側板部の頭部側端縁の薄肉部分が下段の尻部側端縁に重ね合わせられ、上段の頭部裏面と下段の尻部表面との間に流入した雨水を、先端を側板部と同一面となるテーパ状に形成した雨受から下向き傾斜へ流下させる構造のものが知られている（特許文献１）。
【先行技術文献】
【特許文献】
【０００３】
【特許文献１】特開２０１４−２２７６９９号公報
【発明の概要】
【発明が解決しようとする課題】
【０００４】
しかしながら、このような構造では、側板部の尻部側下端に雨受を形成し、雨水を雨受から、雨水伝わせ面の下向き傾斜を伝って下段の袖瓦に順次伝えられるものの、雨受の先端が側板部と同一面となるテーパ状に形成されており、被せ部が側板部より外側に湾曲した形状であることから、上段の袖瓦をスライド調整可能とするものの、雨水が雨受の先端から垂れ易く、雨垂れの発生を防止することは困難であった。また、側板部下端が階段状になることから見栄えが悪いという問題もあった。
【０００５】
そこで、本発明の目的は、上記従来の袖瓦の問題を解消し、雨垂れの発生を防止すると共に、敷設した際に見栄えが良い袖瓦を提供することにある。
【課題を解決するための手段】
【０００６】
本発明のうち、請求項１に記載された発明は、前端に頭部を、後端には尻部を形成して敷設後に雨水が表面を流下する瓦本体と、当該瓦本体の側面に設けられる袖垂れ部とで少なくとも構成し、
前記袖垂れ部には、前記尻部側の端縁である後端部側下端に水受け部を前後方向に設けた袖瓦であって、
前記袖垂れ部は、前記前端部裏側の一部に薄肉部を形成し、前記薄肉部の内面には、前記袖垂れ部の下縁より一段高い段状の導水路が前後方向に形成されており、
下段の前記袖瓦の尻部に、上段の前記袖瓦の頭部を重ね合わせると、上段の前記袖瓦の導水路が下段の前記袖瓦の水受け部の上に載置されて、前後方向へのスライドが案内されることを特徴とするものである。
【０００７】
請求項２に記載された発明は、請求項１に記載の発明に加え、前記袖垂れ部の前記後端部側には縦溝が設けられることを特徴とするものである。
【発明の効果】
【０００８】
請求項１に記載された発明は、雨垂れの発生を防止することが可能である。また、袖瓦を重ね合わせた際には、袖垂れ部の下端が直線状になり見栄えも良い。他にも、下段の袖瓦に対し、上段の袖瓦をスライド調整することが可能である。
【０００９】
請求項２に記載された発明は、上段の頭部裏面と下段の尻部表面との間に流入した雨水を、側板部下端から水受け部へ流下させることができる。
【図面の簡単な説明】
【００１０】
【図１】（ａ）は袖瓦の表面を示し、（ｂ）は袖垂れ部のＡ−Ａ断面を示す説明図である。
【図２】袖瓦の裏面を示す説明図である。
【図３】（ａ）は袖瓦を重ね合わせた状態の表面側を示し、（ｂ）は袖垂れ部のＢ−Ｂ断面を示す説明図である。
【図４】袖瓦を重ね合わせた状態の裏面側を示す説明図である。
【図５】袖瓦を重ね合わせた状態の側面側を示す説明図である。
【図６】図３（ａ）のＣ−Ｃ断面を示す説明図である。
【発明を実施するための形態】
【００１１】
以下、本発明の袖瓦の一実施形態について、図面に基づいて詳細に説明する。
図１は、袖瓦の表面全体を示す説明図である。図２は、袖瓦の裏面全体を示す説明図である。図３は、袖瓦を重ね合わせた状態で表面側を示す説明図である。図４は、袖瓦を重ね合わせた状態の裏面側を示す説明図である。図５は、袖瓦を重ね合わせた状態の側面側を示す説明図である。図６は、図３（ａ）のＣ−Ｃ断面を示す説明図である。
【００１２】
先ず初めに、図１（ａ）に示すように、屋根のけらばに施工する袖瓦１は、前端に頭部３を、後端には尻部５を形成して敷設後に雨水が表面を流下する瓦本体２と、この瓦本体２の側面に設けられる袖垂れ部２０とで少なくとも構成され、瓦本体２の尻部５側には、短手方向で突条に形成した第１水返し６，６と第２水返し７とを設け、袖垂れ部２０には、尻部５側の端縁である後端３０側下端に鍔状の水受け部３２を備えたものである。
【００１３】
このうち、瓦本体２の表面には、袖垂れ部２０側の長手方向に長溝４が形成されている。一方、図２に示すように、裏面の頭部３側には支持柱９，９が、尻部５側には支持柱１０が設けられている。また、頭部３には、突条の鍔部８が形成されている。
【００１４】
次に、袖垂れ部２０の表側では、頭部３側の端縁である前端部２１の下端に上向き傾斜状の切欠き２２が形成されており、後端部３０には、縦溝３１と段面部３３とが形成されている。更に、袖垂れ部２０の外面は、後端部３０側から前端部２１側に向かって拡張するように形成されている。
一方、図１（ｂ）に示すように、袖垂れ部２０の裏側では、前端部２１に袖垂れ部２０の中央部分より板厚の薄い薄肉部２３が形成されており、更に図２に示すように、切欠き２２と薄肉部２３との間には、袖垂れ部２０の下端より一段高い導水路２４が後方向に設けられている。
【００１５】
このようにして構成される袖瓦１の屋根のけらばへの施工は、以下のように行われる。なお、下段に載置される袖瓦を袖瓦１ａとし、上段に載置される袖瓦を袖瓦１ｂとして区別する。
まず初めに、図３（ａ）に示すように、袖瓦１ａに対し、袖瓦１ｂの切欠き２２ｂが水受け３２ａの上に載置されるように重ね合わせる。これにより、図３（ｂ）に示すように、後端部３０ａに前端部２１ｂが重なることで、袖垂れ部２０ａの中央部分の厚みと同じ厚みになる。更に、図５に示すように、袖垂れ部２０ａ，２０ｂの下端側が面一に形成されることとなる。
この時には、水受け３２ａの上には、切欠き２２ｂが配置されていることから、図６に示すように、導水路２４ｂが水受け３２ａの上に載置される状態であり、水受け３２ａの全長の範囲内で袖瓦１ｂを前後方向にスライド調整することが可能である。他にも、この状態では、縦溝３１ａが前端部２１ｂに覆われている。
以降、袖瓦１ｂの上に図示しない上段の袖瓦１ｃ，１ｄ・・を順に重ね合わせて敷設すると、屋根のけらばへの施工が行われることとなる。
【００１６】
次に、袖瓦１ａ，１ｂ・・による雨水の排出と雨垂れ発生の防止とについて詳細に説明する。
図３（ａ）に示すように、袖瓦１ａに袖瓦１ｂが重ねられた状態では、瓦本体２ａに鍔部８ｂが接していることから、殆どの雨水は上段の瓦本体２ｂ上から下段の瓦本体２ａ上を流下するものの、一部の雨水が上段の頭部３ｂの裏面と、図示しない下段の尻部５ａ表面との間に流入することがある。
この場合、図１（ａ）に示すように、瓦本体２の尻部５側には、短手方向で突条に形成される第１水返し６，６と第２水返し７とが設けられていることから、最初に第１水返し６，６によって雨水の流入が防止されることとなる。そして、瓦本体２ａには、長溝４ａが設けられていることから、雨水がこの長溝４ａ内を流下し、頭部３ｂの裏面と尻部５ａ表面との間から排出されることとなる。
【００１７】
次に、雨水が第１水返し６，６の間を抜けた場合には、第１水返し６，６によって流れの勢いが弱められていることから、第２水返し７を超えることができず、流入が防止されることとなる。その後、雨水は瓦本体２の短手方向へと流下し、袖垂れ部２０には縦溝３１が設けられていることから、図３（ｂ）に示すように、縦溝３１ａと薄肉部２３ｂとの間を流下する。
そして、雨水が縦溝３１ａの下端まで流れ落ちると、導水路２４ｂと水受け３２ａとの間を流下し、袖垂れ部２０ａと前端部２１ｂとの間から排出される。その後、雨水が水受け３２ａから袖垂れ部２０ａの下端へと流下し、この袖垂れ部２０ａの下端を伝うこととなる。
【００１８】
他にも、雨水が袖垂れ部２０ｂの表面を流下した場合には、袖垂れ部２０ａの下端へと流下し、切欠き２２ｂが上向き傾斜状に形成されていることから、この切欠き２２ｂを伝って水受け３２ａへと流下することとなる。この場合も上記と同様に、水受け３２ａから袖垂れ部２０ａの下端へ流下すると、袖垂れ部２０ａの下端を伝うこととなる。
【００１９】
上記の如く構成される袖瓦１は、前端部２１裏側の一部に薄肉部２３を形成し、この薄肉部２３の内面には、袖垂れ部２０の下縁より一段高い段状の導水路２４が前後方向に形成されており、下段の袖瓦１ａの尻部５ａに、上段の袖瓦１ｂの頭部３ｂを重ね合わせると、上段の袖瓦１ｂの導水路２４ｂが下段の袖瓦１ａの水受け部３２ａの上に載置されて、前後方向へのスライドが案内されることにより、雨垂れの発生を防止することが可能である。また、袖瓦１ａ，１ｂ・・を重ね合わせた際には、袖垂れ部２０ａ，２０ｂ・・の下端が直線状になり見栄えも良い。他にも、下段の袖瓦１ａに対し、上段の袖瓦１ｂをスライド調整することが可能である。
【００２０】
また、袖垂れ部２０の尻部５側には縦溝３１が設けられることにより、上段の頭部３ｂ裏面と下段の尻部５ａ表面との間に流入した雨水を、上段の袖垂れ部２０ｂ下端から水受け部３２ａへ流下させることができる。
【００２１】
なお、本発明にかかる袖瓦は、上記した実施の形態に何ら限定されるものではなく、本発明の趣旨を逸脱しない範囲で、瓦本体や袖垂れ部の形状、大きさ等を適宜変更することができる。
【００２２】
例えば、図１（ａ）に示す段面部３３は、縦立した状態で袖瓦１を焼成した際に、床面に端面が張り付くことを防止するものであるが、後端部３０の下端に設ける必要はなく、尻部５側の端面に設けても良く、適宜変更可能である。
【００２３】
また、長溝４は１つのみである必要はなく、複数設けても良い。
【符号の説明】
【００２４】
１・・袖瓦、２・・瓦本体、３・・頭部、４・・長溝、５・・尻部、６・・第１水返し、７・・第２水返し、８・・鍔部、９・・支柱（頭部側）、１０・・支柱（尻部側）、２０・・袖垂れ部、２１・・前端部、２２・・切欠き、２３・・薄肉部、２４・・導水路、３０・・後端部、３１・・縦溝、３２・・水受け部、３３・・段面部。
【図１】
2017141582.tif 000003
【図２】
2017141582.tif 000004
【図３】
2017141582.tif 000005
【図４】
2017141582.tif 000006
【図５】
2017141582.tif 000007
【図６】
2017141582.tif 000008